(57)【要約】【課題】主信号として使用可能な波長帯域が減少するという問題を解決する伝送路監視システムを提供する。【解決手段】Ｃ１局３ａは、監視信号を光ファイバ１３ａ１に送信する。光合分波部４２は、光ファイバ１３ａ１内を伝送する監視信号を通す。光合分波部４３は、光合分波部４２が通した監視信号を光ファイバ１３ｂ２に通す。光ループバック回路５ｃ２は、光ファイバ１３ｂ２内を伝送する監視信号を光ファイバ１３ｂに送信する。光合分波部４４は、光ファイバ１３ｂ１内を伝送する監視信号を通す。光合分波部４１は、光合分波部４４が通した監視信号を光ファイバ１３ａ２に通す。Ｃ１局は、光ファイバ１３ａ２内を伝送する監視信号を受信する。【選択図】図１
2010011021.tif 000002
【特許請求の範囲】
【請求項１】
第一主光伝送路内を伝送する第一波長分割多重信号に、第一アド伝送路内を伝送する第一アド信号を追加し、また、前記第一アド伝送路内を伝送する、伝送路を監視するための監視信号を通す第一アド手段と、
前記第一主光伝送路内を伝送する第一波長分割多重信号から、第一ドロップ信号を第一ドロップ伝送路に分岐し、また、前記第一アド手段が通した監視信号を前記第一ドロップ伝送路に通す第一ドロップ手段と、
前記第一ドロップ伝送路内を伝送する監視信号を第二アド伝送路に送信する第一ループバック手段と、
第二主光伝送路内を伝送する第二波長分割多重信号に、前記第二アド伝送路内を伝送する第二アド信号を追加し、また、前記第二アド伝送路内を伝送する監視信号を通す第二アド手段と、
前記第二主光伝送路内を伝送する第二波長分割多重信号から、第二ドロップ信号を第二ドロップ伝送路に分岐し、また、前記第二アド手段が通した監視信号を前記第二ドロップ伝送路に通す第二ドロップ手段と、
前記監視信号および前記第一アド信号を前記第一アド伝送路に送信し、また、前記第二ドロップ伝送路内を伝送する監視信号および第二ドロップ信号を受信する第一通信手段と、を含む伝送路監視システム。
【請求項２】
請求項１に記載の伝送路監視システムにおいて、
前記第一アド手段は、
前記第一伝送路内を伝送する第一アド信号および監視信号を分岐し、該分岐した監視信号を通す第一分波手段と、
前記第一分波手段が分岐した第一アド信号を、前記第一波長分割多重信号に追加する第一合波手段と、を含み、
前記第一ドロップ手段は、
前記第一波長分割多重信号から前記第一ドロップ信号を分岐する第二分波手段と、
前記第二分波手段が分岐した第一ドロップ信号に、前記第一アド手段が通した監視信号を合波し、該合波された信号を前記第一ドロップ伝送路に通す第二合波手段と、を含む、伝送路監視システム。
【請求項３】
請求項１または２に記載の伝送路監視システムにおいて、
前記第二アド手段は、
前記第二伝送路内を伝送する第一アド信号および監視信号を分岐し、該分岐した監視信号を通す第三分波手段と、
前記第三分波手段が分岐した第二アド信号を、前記第二波長分割多重信号に追加する第三合波手段と、を含み、
前記第二ドロップ手段は、
前記第二波長分割多重信号から前記第二ドロップ信号を分岐する第四分波手段と、
前記第四分波手段が分岐した第二ドロップ信号に、前記第二アド手段が通した監視信号を合波し、該合波された信号を前記第二ドロップ伝送路に通す第四合波手段と、を含む、伝送路監視システム。
【請求項４】
請求項１に記載の伝送路監視システムにおいて、
前記第一アド手段は、
前記第一アド伝送路内を伝送する第一アド信号および監視信号を、前記第一波長分割多重信号に追加する第五合波手段と、
前記第五合波手段が追加した信号から前記監視信号を分岐し、該分岐した監視信号を通す第五分波手段と、を含み、
前記第一ドロップ手段は、
前記第一波長分割多重信号に、前記第一アド手段が通した監視信号を合波する第六合波手段と、
前記第六合波手段が合波した信号から、前記第一ドロップ信号および前記監視信号を分岐し、該分岐した前記第一ドロップ信号および前記監視信号を前記第一ドロップ伝送路に通す第六分波手段と、を含む、伝送路監視システム。
【請求項５】
請求項１または４に記載の伝送路監視システムにおいて、
前記第二アド手段は、
前記第二アド伝送路内を伝送する第二アド信号および監視信号を、前記第二波長分割多重信号に追加する第七合波手段と、
前記第七合波手段が追加した信号から前記監視信号を分岐し、該分岐した監視信号を通す第七分波手段と、を含み、
前記第二ドロップ手段は、
前記第二波長分割多重信号に、前記第二アド手段が通した監視信号を合波する第八合波手段と、
前記第八合波手段が合波した信号から、前記第二ドロップ信号および前記監視信号を分岐し、該分岐した前記第二ドロップ信号および前記監視信号を前記第二ドロップ伝送路に通す第八分波手段と、を含む、伝送路監視システム。
【請求項６】
請求項１ないし５のいずれか１項に記載の伝送路監視システムにおいて、
前記監視信号は、前記第一アド伝送路および前記第一ドロップ伝送路を監視するための第一監視信号であり、
前記第二アド手段は、前記第二アド伝送路内を伝送する、前記第二アド伝送路および前記第二ドロップ伝送路を監視するための第二監視信号を通し、
前記第二ドロップ手段は、前記第二アド手段が通した第二監視信号を前記第二ドロップ伝送路に通し、
前記第一アド手段は、前記第一アド伝送路内を伝送する第二監視信号を通し、
前記第一ドロップ手段は、前記第一アド手段が通した第二監視信号を前記第一ドロップ伝送路に通し、
前記伝送路監視システムは、
前記第二監視信号および前記第二アド信号を前記第二アド伝送路に送信し、また、前記第一ドロップ伝送路内を伝送する第二監視信号および第一ドロップ信号を受信する第二通信手段と、
前記第二ドロップ伝送路内を伝送する第二監視信号を第一アド伝送路に送信する第二ループバック手段と、を含む、伝送路監視システム。
【請求項７】
請求項６に記載の伝送路監視システムにおいて、
前記第一通信手段および前記第二通信手段が互いに別体として設けられる、伝送路監視システム。
【発明の詳細な説明】
【技術分野】
【０００１】
本発明は、伝送路を監視する伝送路監視システムに関し、特には、海底ケーブル内の光ファイバを監視する伝送路監視システムに関する。
【背景技術】
【０００２】
図１０は、関連技術の海底ケーブルシステムを示したブロック図である。図１０において、陸上光送受信局であるＡ局１００およびＢ局１０１は、海底ケーブル内の伝送路である光ファイバを介して互いに通信する。Ａ局１００およびＢ局１０１は、主信号として、複数の互いに異なる波長信号を含むＷＤＭ（wavelength division multiplexing：波長分割多重）信号λｗを送受信する。なお、Ａ局１００およびＢ局１０１間の通信は、Ｐｏｉｎｔ‐ｔｏ‐Ｐｏｉｎｔ通信である。
【０００３】
Ａ局１００は、伝送路を監視するための光信号である監視信号λａをＡ局１００からＢ局１０１への伝送路（以下、Ａ局→Ｂ局のルートと称する）に送信でき、Ｂ局１０１は、監視信号λｂをＢ局１０１からＡ局１００への伝送路（以下、Ｂ局→Ａ局のルートと称する）に送信できる。また、Ａ局１００およびＢ局１０１間の距離が長距離の場合、Ａ局１００およびＢ局１０１間の伝送路には、通信を中継するための中継器が備えられている。また、中継器の内部には、監視信号λａおよびλｂをループバックする光ループバック回路１ａ、２ａ…ｎａが備えられている。
【０００４】
Ａ局１００からＡ局→Ｂ局のルートに送信された監視信号λａは、各光ループバック回路１ａ、２ａ…ｎａを通過し、Ｂ局まで到達する。また、各光ループバック回路１ａ、２ａ…ｎａは、監視信号λａを一定の割合の強度で分岐し、Ｂ局→Ａ局のルートにループバックする。さらに、各光ループバック回路１ａ、２ａ…ｎａは、伝送路中で発生する反射光や散乱光もループバックすることができる。なお、Ｂ局１０１から送信された監視信号λｂも、監視信号λａに対する処理と同様な処理によりＢ局１０１にループバックされる。Ａ局１００およびＢ局１０１は、伝送路を経由してループバックされた監視信号λａまたはλｂを受信する。
【０００５】
Ａ局１００およびＢ局１０１は、その受信した監視信号λａまたはλｂの光レベル、監視信号λａまたはλｂを送信してから受信するまでの時間、および、その受信した監視信号λａまたはλｂに重畳された信号などを分析して、中継器のレベル低下、光ファイバにおける光損失の増加、光ファイバの断などの障害を監視する。例えば、Ａ局１００およびＢ局１０１は、障害の発生の有無、その障害の種類およびその障害の発生箇所などを監視する。また、Ａ局１００およびＢ局１０１は、ＯＴＤＲ（光パルス試験法：Optical Time Domain Reflectmetry）を用いて、監視信号λａまたはλｂの送信方向の反射光や散乱光を分析することで、光損失量と距離との関係を詳細に監視することができる。
【０００６】
近年、海底ケーブル内の光ファイバを伝送するＷＤＭ信号に対して光信号の追加および分岐を行うアド／ドロップの需要が増加している。アド／ドロップが行われる場合、その追加する光信号や分岐した光信号を伝送するためのアド／ドロップ伝送路を監視する必要性が生じる。
【０００７】
このようなアド／ドロップ伝送路を監視することが可能な技術としては、特許文献１に記載の線路監視装置および特許文献２に記載の光線路監視システムがある。
【０００８】
特許文献１に記載の線路監視装置では、主信号に対して光信号をアド／ドロップするための波長分岐装置が送受信局間に設けられる。また、アド／ドロップする光信号を送受信するアド／ドロップ局が設けられる。さらに、波長分岐装置とアド／ドロップ局との間のアド／ドロップ伝送路上に光ループバック回路が設けられる。
【０００９】
波長分岐装置は、主信号だけでなく、予め定められた波長の監視信号もアド／ドロップ伝送路にドロップする。光ループバック回路は、ドロップされた監視信号を、その監視信号を送信した送信局にループバックする。これにより、送信局がそのループバックされた監視信号を受信することで、アド／ドロップ伝送路を監視することが可能になっている。
【００１０】
また、特許文献２に記載の光線路監視システムでは、主信号に対して波長信号をアド／ドロップするための分岐局が、送受信局であるトランク局間に設けられる。また、トランク局間には、光ループバック回路が設けられる。
【００１１】
トランク局および分岐局の少なくともいずれか一つが監視局として用いられる。監視局が送信する監視信号は、監視局以外の分岐局をスルーする。光ループバック回路は、そのスルーした監視信号を監視局にループバックする。これにより、監視局がそのループバックされた監視信号を受信することで、その監視信号が伝送される伝送路を監視することが可能になっている。
【００１２】
特許文献２に記載の光線路監視システムにおいて、トランク局が監視局として用いられると、分岐局をスルーするので、監視信号はアド／ドロップ伝送路に伝送されない。このため、トランク局が監視局として用いられると、アド／ドロップ伝送路を監視することができない。したがって、アド／ドロップ伝送路を監視するためには、分岐局を監視局として用いる必要がある。
【特許文献１】特開平９−２８９４９４号公報
【特許文献２】特開平１０−２５６９９５号公報
【発明の開示】
【発明が解決しようとする課題】
【００１３】
特許文献１に記載の線路監視装置では、波長分岐装置が複数ある場合、波長分岐装置ごとにアド／ドロップする波長を定めなければならない。このため、波長分岐装置の数が増えるほど、監視信号として用いる波長の数も増えることとなり、主信号として使用可能な波長帯域が減少するという問題がある。
【００１４】
また、特許文献２に記載の光線路監視システムでは、分岐局が複数ある場合、分岐局ごとに、その分岐局でアド／ドロップされる信号を伝送するためのアド／ドロップ伝送路が設けられる。各アド／ドロップ伝送路を監視するためには、各分岐局が監視局として用いる必要がある。
【００１５】
監視信号は、自信号を送信した監視局以外の分岐局をスルーするため、ある監視局が送信した監視信号は、他の分岐局に設けられたアド／ドロップ伝送路に伝送されない。したがって、全てのアド／ドロップ伝送路を監視するためには、全ての分岐局が監視局として用いられなければならない。また、各監視局が他の監視局が送信した監視信号をスルーするためには、各監視局が送信する監視信号の波長が互いに異なっていなければならない。
【００１６】
このため、特許文献１に記載の線路監視装置と同様に、分岐局の数が増えるほど、監視信号として用いる波長の数も増えることとなり、主信号として使用可能な波長帯域が減少するという問題がある。
【００１７】
本発明の目的は、上記の課題である、主信号として使用可能な波長帯域が減少するという問題を解決する伝送路監視システムを提供することである。
【課題を解決するための手段】
【００１８】
本発明による伝送路監視システムは、第一主光伝送路内を伝送する第一波長分割多重信号に、第一アド伝送路内を伝送する第一アド信号を追加し、また、前記第一アド伝送路内を伝送する、伝送路を監視するための監視信号を通す第一アド手段と、前記第一主光伝送路内を伝送する第一波長分割多重信号から、第一ドロップ信号を第一ドロップ伝送路に分岐し、また、前記第一アド手段が通した監視信号を前記第一ドロップ伝送路に送信する第一ドロップ手段と、前記第一ドロップ伝送路内を伝送する監視信号を第二アド伝送路に送信する第一ループバック手段と、第二主光伝送路内を伝送する第二波長分割多重信号に、前記第二アド伝送路内を伝送する第二アド信号を追加し、また、前記第二アド伝送路内を伝送する監視信号を通す第二アド手段と、前記第二主光伝送路内を伝送する第二波長分割多重信号から、第二ドロップ信号を第二ドロップ伝送路に分岐し、また、前記第二アド手段が通した監視信号を前記第二ドロップ伝送路に送信する第二ドロップ手段と、前記監視信号および前記第一アド信号を前記第一アド伝送路に送信し、また、前記第二ドロップ伝送路内を伝送する監視信号および第二ドロップ信号を受信する第一通信手段と、を含む。
【発明の効果】
【００１９】
本発明によれば、主信号として使用可能な波長帯域の減少を抑制することが可能になる。
【発明を実施するための最良の形態】
【００２０】
以下、本発明の実施形態について図面を参照して説明する。なお、以下の説明では、同じ機能を有する構成には同じ符号を付け、その説明を省略する場合がある。
【００２１】
図１は、本発明の第一の実施形態の海底ケーブルシステムを示したブロック図である。
【００２２】
図１において、海底ケーブルシステムは、Ａ局１と、Ｂ局２と、Ｃ１局３ａおよびＣ２局３ｂからなるＣ局３と、光分岐装置４と、光ループバック回路５ａ、５ｂ、５ｃ１および５ｃ２とを含む。
【００２３】
Ａ局１、Ｂ局２およびＣ局３は、信号を送受信する送受信局であり、通常、陸上に設けられる。また、Ａ局１、Ｂ局２およびＣ局３のそれぞれは、海底ケーブル内の伝送路である光ファイバを介して相互に光分岐装置４と接続される。なお、Ａ局１およびＢ局２間の通信は、Ｐｏｉｎｔ‐ｔｏ‐Ｐｏｉｎｔ通信である。
【００２４】
各光ファイバは、信号を送受信するための光ファイバのペアにて構成される。
【００２５】
具体的には、Ａ局１と光分岐装置４とを接続する光ファイバは、Ａ局１から光分岐装置４まで信号を伝送する光ファイバ１１ａと、光分岐装置４からＡ局１まで信号を伝送する光ファイバ１１ｂとのペアにて構成される。
【００２６】
また、Ａ局２と光分岐装置４とを接続する光ファイバは、Ｂ局２から光分岐装置４まで信号を伝送する光ファイバ１２ａと、光分岐装置４からＢ局２まで信号を伝送する光ファイバ１２ｂとのペアにて構成される。
【００２７】
さらに、Ｃ１局３ａと光分岐装置４とを接続する光ファイバは、Ｃ１局３ａから光分岐装置４まで信号を伝送する光ファイバ１３ａ１と、光分岐装置４からＣ１局３ａまで信号を伝送する光ファイバ１３ａ２とのペアにて構成される。Ｃ２局３ｂと光分岐装置４とを接続する光ファイバは、Ｃ２局３ｂから光分岐装置４まで信号を伝送する光ファイバ１３ｂ１と、光分岐装置４からＣ２局３ｂまで信号を伝送する光ファイバ１３ｂ２とのペアにて構成される。
【００２８】
なお、光ファイバ１３ａ１は、第一アド伝送路の一例であり、光ファイバ１３ｂ２は、第一ドロップ伝送路の一例である。また、光ファイバ１３ｂ１は、第二アド伝送路の一例であり、光ファイバ１３ａ２は、第二ドロップ伝送路の一例である。さらに、光ファイバ１２ａおよび１１ｂは、第一主光伝送路の一例であり、光ファイバ１１ａおよび１２ｂは、第二主光伝送路の一例である。
【００２９】
光ループバック回路５ａ、５ｂ、５ｃ１および５ｃ２のそれぞれは、Ａ局１、Ｂ局２、Ｃ１局３ａおよびＣ２局３ｂのそれぞれと光分岐装置４との間に挿入されている。なお、光ループバック回路５ａ、５ｂ、５ｃ１および５ｃ２のそれぞれは、図１では、説明の簡略化のために、一個ずつしか記載していないが、実際には、複数個あってもよい。また、海底ケーブルが長い場合など、伝送路中に光中継器が多段に設けられる場合、光ループバック回路５ａ、５ｂ、５ｃ１および５ｃ２のそれぞれは、光中継器間隔ごとに挿入するのが望ましい。また、各局装置の接続点まで伝送路の状態を監視するために、Ａ局１、Ｂ局２、Ｃ１局３ａおよびＣ２局３ｂにも、光ループバック回路が内蔵されてもよい。
【００３０】
Ａ局１は、トラフィックとしての主信号λｗｄｍ１と、伝送路を監視するための監視信号λａ１とを光ファイバ１１ａに送信する。また、Ａ局１は、光ファイバ１１ｂを伝送する主信号λｗｄｍ２および監視信号λａ１を受信する。
【００３１】
Ｂ局２は、トラフィックとしての主信号λｗｄｍ２と、伝送路を監視するための監視信号λａ２とを光ファイバ１２ａに送信する。また、Ｂ局２は、光ファイバ１１ｂを伝送する主信号λｗｄｍ１および監視信号λａ２を受信する。
【００３２】
主信号λｗｄｍ１およびλｗｄｍ２は、ＷＤＭ信号である。また、主信号λｗｄｍ１は、第二波長分割多重信号の一例であり、主信号λｗｄｍ２は、第一波長分割多重信号の一例である。
【００３３】
なお、Ａ局１およびＢ局２は、監視信号λａ１またはλｂ１を伝送路の監視時にだけ送信できる。また、Ａ局１は、監視信号λａ１を送信する際、その監視信号λａ１と主信号λｗｄｍ１との合波を送信することができ、Ｂ局２は、監視信号λｂ１を送信する際、その監視信号λｂ１と主信号λｗｄｍ２との合波を送信することができる。
【００３４】
Ｃ局３は、Ａ局１とＢ局２と間の光ファイバ内を伝送する主信号λｗｄｍ１およびλｗｄｍ１に対してアド／ドロップする光信号を送受信するアド／ドロップ局である。
【００３５】
Ｃ１局３ａは、Ａ局１と通信するための光信号λｃａと、伝送路を監視するための監視信号とを光ファイバ１３ａ１に送信する。ここで、Ｃ１局３ａは、監視信号として、光ファイバ１３ａ１および１３ｂ２を監視するための監視信号λｃ１を送信する。
【００３６】
また、Ｃ１局３ａは、Ａ局１と通信するための光信号λａｃと、監視信号λｃ１と光ファイバ１３ａ２から受信する。
【００３７】
Ｃ２局３ｂは、Ｂ局２と通信するための光信号λｃｂと、の監視信号とを光ファイバ１３ｂ１に送信する。ここで、Ｃ２局３ｂは、監視信号として、光ファイバ１３ｂ１および１３ａ２を監視するための監視信号λｃ２を受信する。
【００３８】
また、Ｃ２局３ｂは、Ｂ局２と通信するための光信号λｂｃと、監視信号λｃ２と光ファイバ１３ｂ２から受信する。
【００３９】
なお、光信号λｃａ、λａｃ、λｃｂおよびλｂｃは、ＷＤＭ信号でもよいし、単一の波長信号でもよい。また、光信号λｃａおよびλａｃは互いに同一の波長であり、光信号λｃｂおよびλｂｃは互いに同一の波長であるとする。さらに、Ａ局１とＢ局２との間を伝送する主信号λｗｄｍ１およびλｗｄｍ２の波長帯域を有効に使用するために、光信号λｃａおよびλｃｂ（光信号λａｃおよびλｂｃ）は、互いに同一の波長でもよい。
【００４０】
光信号λｃａは、第一アド信号の一例であり、光信号λｂｃは、第一ドロップ信号の一例である。また、光信号λｃｂは、第二アド信号の一例であり、光信号λａｃは、第二ドロップ信号の一例である。
【００４１】
ここで、Ｃ１局３ａおよびＣ２局３ｂは、監視信号λｃ１またはλｃ２を伝送路の監視時にだけ送信できる。また、Ｃ１局３ａおよびＣ２局３ｂは、監視信号λｃ１またはλｃ２送信する際、その監視信号λｃ１またはλｃ２と光信号λｃａまたはλｃｂとの合波を送信することができる。
【００４２】
また、本実施形態では、監視信号λａ１、λｂ１、λｃ１およびλｃ２のそれぞれの波長は互いに異なるが、Ａ局１、Ｂ局２、Ｃ局３ａおよび３ｂが同時に監視信号を送信しない場合、つまり、同時に伝送路の監視が行われない場合には、全て同一の波長としてもよい。
【００４３】
なお、Ｃ１局３ａは、第一通信手段の一例であり、Ｃ２局は、第二通信手段の一例である。
【００４４】
光分岐装置４は、光合分波部４１ないし４４を含む。光合分波部４１および４４は、主信号λｗｄｍ２を伝送するための光ファイバ４５と、監視信号λｃ２を伝送するための光ファイバ４６とを介して互に接続される。また、光合分波部４２および４３は、主信号λｗｄｍ１を伝送するための光ファイバ４７と、監視信号λｃ２を伝送するための光ファイバ４８とを介して相互に接続される。
【００４５】
光合分波部４１は、光ファイバ１１ａ内を伝送する主信号λｗｄｍ１、監視信号λａ１およびλｂ１を、光ファイバ４５を介して光ファイバ１１ａに通す。ただし、光合分波部４１は、その主信号λｗｄｍ１内の光信号λｃａを通しない。
【００４６】
また、光合分波部４１は、光ファイバ１１ａ内を伝送する主信号λｗｄｍ１から光信号λａｃを光ファイバ１３ａ２にドロップ（分岐）する。
【００４７】
光合分波部４１は、光合分波部４４が通した監視信号λｃ１およびλｃ２を、光ファイバ１３ａ１に通す。
【００４８】
光合分波部４２は、光ファイバ１２ａ内を伝送する主信号λｗｄｍ２、監視信号λａ１およびλｂ１を光ファイバ１１ｂに通す。
【００４９】
また、光合分波部４２は、光ファイバ１３ａ１内を伝送する光信号λｃａを、光ファイバ１２ａ内を伝送する主信号λｗｄｍ２にアド（追加）する
さらに、光合分波部４２は、光ファイバ１３ａ１内を伝送する監視信号λｃ１およびλｃ２を、光ファイバ４８に通す。
【００５０】
光合分波部４３は、光ファイバ１２ａ内を伝送する主信号λｗｄｍ２、監視信号λａ１およびλｂ１を、光ファイバ４７を介して光ファイバ１１ｂに通す。ただし、光合分波部４１は、その主信号λｗｄｍ２内の光信号λｂｃを通しない。
【００５１】
また、光合分波部４３は、光ファイバ１２ａ内を伝送する主信号λｗｄｍ２から光信号λｂｃを光ファイバ１３ｂ２にドロップする。
【００５２】
さらに、光合分波部４３は、光合分波部４２が通した監視信号λｃ１およびλｃ２を、光ファイバ１３ｂ２に通す。
【００５３】
光合分波部４４は、光ファイバ１１ａ内を伝送する主信号λｗｄｍ１、監視信号λａ１およびλｂ１を光ファイバ１２ｂに通す。
【００５４】
また、光合分波部４４は、光ファイバ１３ｂ１内を伝送する光信号λｃｂを、光ファイバ１２ｂ内を伝送する主信号λｗｄｍにアドする
さらに、光合分波部４２は、光ファイバ１３ｂ１内を伝送する監視信号λｃ１およびλｃ２を、光ファイバ４６に通す。
【００５５】
なお、光合分波部４２は、第一アド手段の一例であり、光合分波部４３は、第一ドロップ手段の一例である。また、光合分波部４４は、第二アド手段の一例であり、光合分波部４１は、第二ドロップ手段の一例である。
【００５６】
図２および図３は、光合分波部４１および４３の構成例を示したブロック図であり、図４および図５は、光合分波部４２および４４の構成例を示したブロック図である。
【００５７】
図２ないし図５における各信号と、図１における各信号との対応関係を表１に示す。
【００５８】
【表１】
2010011021.tif 000003
【００５９】
図２において、光合分波部４１および４３のそれぞれは、分波器２１と合波器２２とを含む。
【００６０】
分波器２１は、光信号λａｄｄと監視信号λｓｖと合波を、光信号λａｄｄと監視信号λｓｖとに分岐し、その分岐した監視信号λｓｖを通す。
【００６１】
合波器２２は、光信号λａｄｄを含まない主信号λｗｄｍと監視信号λｓｖ−ｗとの合波に、分波器２１が分岐した光信号λａｄｄを追加し、その追加された信号を通す。
【００６２】
また、図３において、光合分波部４１および４３のそれぞれは、合波器２５と分波器２６とを含む。
【００６３】
合波器２５は、光信号λａｄｄを含まない主信号λｗｄｍと監視信号λｓｖ−ｗとの合波に、光信号λａｄｄと監視信号λｓｖとの合波を追加する。
【００６４】
分波器２６は、合波器２５が追加した信号から、光信号λａｄｄを含む主信号λｗｄｍと監視信号λｓｖ−ｗとの合波と、監視信号ｓｖとを分岐し、その分岐した合波および監視信号ｓｖのそれぞれを通す。
【００６５】
また、図４において、光合分波部４２および４４のそれぞれは、合波器２３と分波器２４とを含む。
【００６６】
分波器２４は、光信号λｄｒｏｐを含む主信号λｗｄｍと監視信号λｓｖ−ｗとの合波を、光信号λｄｒｏｐを含まない主信号λｗｄｍと監視信号λｓｖ−ｗとの合波と、光信号λｄｒｏｐとに分岐し、その合波を通す。
【００６７】
合波器２３は、分波器２４が分岐した光信号λｄｒｏｐに監視信号λｓｖを追加し、その追加した信号を通す。
【００６８】
さらに、図５において、光合分波部４２および４４のそれぞれは、分波器２７と合波器２８とを含む。
【００６９】
合波器２８は、光信号λｄｒｏｐを含む主信号λｗｄｍと監視信号λｓｖ−ｗとの合波に、監視信号λｓｖを追加する。
【００７０】
分波器２７は、合波器２８が追加した信号から、光信号λｄｒｏｐを含まない主信号λｗｄｍと監視信号λｓｖ−ｗとの合波と、光信号λｄｒｏｐと監視信号λｓｖとの合波とを分岐し、それらの分岐した信号のそれぞれを通す。
【００７１】
図２および図４で示した構成では、分波器２１と合波器２２との間の伝送路、および、分波器２４と合波器２３との間の伝送路では、光信号λａｄｄまたはλｄｒｏｐが伝送するが、監視信号λｓｖ−ｗおよびλｓｖは伝送しない。このため、これらの伝送路を監視することができないが、これらの伝送路は非常に短いので、この伝送路を監視する必要性は低い。
【００７２】
また、Ａ局１からＢ局２までの主信号λｗｄｍが伝送する伝送路の全ての場所において、主信号λｗｄｍと監視信号λｃ１およびλｃ２とが交わらない。このため、Ａ局１からＢ局２までの伝送路において、監視信号λｃ１およびλｃ２の波長と同じ波長の信号を、伝送路の監視と異なる目的で使用することが可能である。
【００７３】
また、図３および図５で示した構成では、分波器２１と合波器２２との間の伝送路、および、分波器２４と合波器２３との間の伝送路も含め、光信号λｃａ、ａｃ、ｃｂおよびｂｃが伝送する伝送路の全てを監視することが可能である。
【００７４】
なお、合波器２２、２３、２５および２７のそれぞれが行う合波方法は、例えば、波長合波方法および強度合波方法などである。しかしながら、合波器２２、２３、２５および２７のそれぞれが行う合波方法は、これらの合波方法に限らず適宜変更可能である。
る。
【００７５】
図１に戻る。光ループバック回路５ａは、光ファイバ１１ａ内を伝送する監視信号λａ１を、光ファイバ１１ｂに送信することでＡ局１にループバックする。また、光ループバック回路５ａは、光ファイバ１１ｂ内を伝送する監視信号λｂ１を、光ファイバ１１ａに送信することでＢ局２にループバックする。
【００７６】
光ループバック回路５ｂは、光ファイバ１２ａ内を伝送する監視信号λｂ１を、光ファイバ１２ｂに送信することでＢ局２にループバックする。また、光ループバック回路５ｂは、光ファイバ１２ｂ内を伝送する監視信号λａ１を、光ファイバ１２ａに送信することでＡ局１にループバックする。
【００７７】
光ループバック回路５ｃ１は、光ファイバ１３ａ１内を伝送する監視信号λｃ１を、光ファイバ１３ａ２に送信することでＣ１局３ａにループバックする。また、光ループバック回路５ｃ１は、光ファイバ１３ａ２内を伝送する監視信号λｃ２を、光ファイバ１３ａ１に送信することでＣ２局３ｂにループバックする。
【００７８】
光ループバック回路５ｃ２は、光ファイバ１３ｂ１内を伝送する監視信号λｃ２を、光ファイバ１３ｂ２に送信することでＣ２局３ｂにループバックする。また、光ループバック回路５ｃ２は、光ファイバ１３ｂ２内を伝送する監視信号λｃ１を、光ファイバ１３ｂ１に送信することでＣ１局３ａにループバックする。
【００７９】
なお、光ループバック回路５ｃ１は、第二ループバック手段の一例であり、光ループバック回路５ｃ２は、第一ループバック手段の一例である。
【００８０】
光ループバック回路５ａ、５ｂ、５ｃ１および５ｃ２のそれぞれがループバックする信号の光強度の元の信号に対する比率は、０％より大きく１００％より小さい範囲内の任意の値でよい。つまり、光ループバック回路５ａ、５ｂ、５ｃ１および５ｃ２のそれぞれは、少なくとも元の信号を後段に通す必要がある。
【００８１】
なお、光ループバック回路５ａ、５ｂ、５ｃ１および５ｃ２のそれぞれは、ＯＴＤＲを用いて伝送路を監視するために、監視信号の反射光や散乱光をループバックしてもよい。
【００８２】
次に動作を説明する。
【００８３】
先ず、Ａ局１とＢ局２との間の伝送路の監視における海底ケーブルシステムの動作を説明する。
【００８４】
Ａ局１は、監視信号λａ１を光ファイバ１１ａに送信する。監視信号λａ１は、Ａ局１から光ファイバ１１ａに送信された後、光分岐装置４に到達する。監視信号λａ１は、光分岐装置４を通して、光ファイバ１２ｂを介してＢ局２に到達する。監視信号λａ１は、Ａ局１からＢ局２までの伝送路に設けられた光ループバック回路５ａおよび５ｂに到達するたびに、Ｂ局２からＡ局１への伝送路（光ファイバ１１ｂ、または、光ファイバ１２ａおよび光ファイバ１１ｂ、）を介してＡ局１まで到達する。
【００８５】
Ａ局１は、監視信号λａ１を受信すると、その受信した監視信号λａ１の光レベル、監視信号λａ１を送信してから受信するまでの時間、または、その受信した監視信号λａ１に重畳された信号などを分析して、Ａ局１からＢ局２までの伝送路と、Ｂ局２からＡ局１まで伝送路の障害などを分析する。
【００８６】
なお、Ｂ局２からＡ局１までの伝送路の監視における海底ケーブルシステムの動作は、上記の動作において、Ａ局１とＢ局２とを互いに読み換え、光ファイバ１１ａおよび１１ｂのそれぞれと光ファイバ１２ａおよび１２ｂのそれぞれと互いに読み換えればよい。
【００８７】
続いて、Ｃ１局３ａと光分岐装置４との間の伝送路の監視における海底ケーブルシステムの動作を説明する。
【００８８】
Ｃ１局３ａは、監視信号λｃ１を光ファイバ１３ａ１に送信する。監視信号λｃ１は、Ｃ１局３ａから送信された後、光分岐装置４に到達する。
【００８９】
光分岐装置４内の光合分波部４２は、その監視信号λｃ１を光ファイバ４８に通す。光合分波部４３は、光ファイバ４８内を伝送する監視信号λｃ１を光ファイバ１３ｂ２に通す。監視信号λｃ１は、光ファイバ１３ｂ２内を伝送してＣ２局３ｂに到達する。
【００９０】
また、監視信号λｃ１は、Ｃ１局３ａからＣ２局３ｂまでの伝送路に設けられた光ループバック回路５ｃ１および５ｃ２に到達するたびに、Ｃ２局３ｂからＣ１局３ａへの伝送路に送信される。これにより、監視信号λｃ１はＣ１局３ａにループバックされる。
【００９１】
具体的には、光ファイバ１３ａ１内を伝送している監視信号λｃ１が光ループバック回路５ｃ１に到達すると、光ループバック回路５ｃ１は、その監視信号λｃ１を光ファイバ１３ａ２に送信する。
【００９２】
また、光ファイバ１３ｂ２内を伝送している監視信号λｃ１が光ループバック回路５ｃ２に到達すると、光ループバック回路５ｃ２は、その監視信号λｃ１を光ファイバ１３ｂ１に送信する。監視信号λｃ１は、光ループバック回路５ｃ２から送信された後、光分岐装置４に到達する。
【００９３】
光分岐装置４内の光合分波部４４は、その監視信号λｃ１を光ファイバ４６に通す。光合分波部４１は、光ファイバ４６内を伝送する監視信号λｃ１を光ファイバ１３ａ２に通す。監視信号λｃ１は、光ファイバ１３ａ２内を伝送してＣ１局３ａに到達する。
【００９４】
Ｃ１局３ａは、監視信号λｃ１を受信すると、その受信した監視信号λｃ１の光レベル、監視信号λｃ１を送信してから受信するまでの時間、または、その受信した監視信号λｃ１に重畳された信号などを分析して、Ｃ１局３ａから光分岐装置４までの伝送路を監視することができる。
【００９５】
続いて、Ｃ２局３ｂと光分岐装置４との間の伝送路の監視における海底ケーブルシステムの動作を説明する。
【００９６】
Ｃ２局３ｂは、監視信号λｃ２を光ファイバ１３ｂ１に送信する。監視信号λｃ２は、Ｃ２局３ｂから送信された後、光分岐装置４に到達する。
【００９７】
光分岐装置４内の光合分波部４４は、その監視信号λｃ２を光ファイバ４６に通す。光合分波部４１は、光ファイバ４６内を伝送する監視信号λｃ２を光ファイバ１３ａ２に通す。監視信号λｃ２は、光ファイバ１３ａ２内を伝送してＣ１局３ａに到達する。
【００９８】
また、監視信号λｃ２は、Ｃ２局３ｂからＣ１局３ａまでの伝送路に設けられた光ループバック回路５ｃ１および５ｃ２に到達するたびに、Ｃ１局３ａからＣ２局３ｂへの伝送路に送信される。これにより、監視信号λｃ２はＣ２局３ｂにループバックされる。
【００９９】
具体的には、光ファイバ１３ｂ１内を伝送している監視信号λｃ２が光ループバック回路５ｃ２に到達すると、光ループバック回路５ｃ２は、その監視信号λｃ２を光ファイバ１３ｂ２に送信する。
【０１００】
また、光ファイバ１３ａ２内を伝送している監視信号λｃ２が光ループバック回路５ｃ１に到達すると、光ループバック回路５ｃ１は、その監視信号λｃ２を光ファイバ１３ａ１に送信する。監視信号λｃ２は、光ループバック回路５ｃ１から送信された後、光分岐装置４に到達する。
【０１０１】
光分岐装置４内の光合分波部４２は、その監視信号λｃ２を光ファイバ４８に通す。光合分波部４２は、光ファイバ４８内を伝送する監視信号λｃ２を光ファイバ１３ｂ２に通す。監視信号λｃ２は、光ファイバ１３ｂ２内を伝送してＣ２局３ｂに到達する。
【０１０２】
Ｃ２局３ｂは、監視信号λｃ２を受信すると、その受信した監視信号λｃ２の光レベル、監視信号λｃ２を送信してから受信するまでの時間、または、その受信した監視信号λｃ１に重畳された信号などを分析して、Ｃ２局３ｂから光分岐装置４までの伝送路を監視することができる。
【０１０３】
また、ＯＴＤＲによる詳細な光レベルの低下量と距離の関係を測定する必要がない場合、Ａ局１から送信される監視光λａ１にて、逆方向のルートであるＢ局２からＡ局１までの伝送路についても監視を行うことが可能であるが、監視精度が低くなる可能性がある。また、海底ケーブルの中継器に内蔵されている光アイソレータのような反射光をさえぎるものが伝送路中になければ、Ａ局１から送信される監視光λａ１にて、逆ルートであるＢ局２からＡ局１までの伝送路における詳細な光レベルの低下量と距離の関係を測定することが可能である。
【０１０４】
同様に、ＯＴＤＲによる詳細な光レベルの低下量と距離の関係を測定する必要がない場合、Ｃ１局３ａから送信される監視光λｃ１にて、逆方向のルートであるＣ２局３ｂからＣ１局３ａまでの伝送路（光ファイバ１３ｂ１、４６および１３ａ２）についても監視を行うことが可能であるが、監視精度が低くなる可能性がある。また、海底ケーブルの中継器に内蔵されている光アイソレータのような反射光をさえぎるものが伝送路中になければ、Ｃ１局３ａから送信される監視光λｃ１にて、逆ルートであるＣ２局３ｂからＣ１局３ａまでの伝送路における詳細な光レベルの低下量と距離の関係を測定することが可能である。
【０１０５】
次に効果を説明する。
【０１０６】
本実施形態では、Ｃ１局３ａは、監視信号を光ファイバ１３ａ１に送信する。光合分波部４２は、光ファイバ１３ａ１内を伝送する監視信号を通す。光合分波部４３は、光合分波部４２が通した監視信号を光ファイバ１３ｂ２に通す。光ループバック回路５ｃ２は、光ファイバ１３ｂ２内を伝送する監視信号を光ファイバ１３ｂに送信する。光合分波部４４は、光ファイバ１３ｂ１内を伝送する監視信号を通す。光合分波部４１は、光合分波部４４が通した監視信号を光ファイバ１３ａ２に通す。Ｃ１局は、光ファイバ１３ａ２内を伝送する監視信号を受信する。なお、光合分波部４１ないし光合分波部４４は、光分岐装置４を構成する。
【０１０７】
この場合、Ｃ１局３ａから送信された監視信号は、光合分波部４１ないし光合分波部４４で構成される光分岐装置４によるアド／ドロップを行うためのアド／ドロップ伝送路以外のアド／ドロップ伝送路に伝送されなくなる。したがって、光分岐装置４が複数あっても、光分岐装置４の全てにおいて同じ波長の信号を監視信号として用いることが可能になる。したがって、光分岐装置４の数が増えても、監視信号として用いる波長の数を増やさなくてもよくなるため、主信号として使用可能な波長帯域の減少を抑制することが可能になる。
【０１０８】
また、本実施形態では、光合分波部４１および４３のそれぞれは、分波器２１と合波器２２とを含む。光合分波部４２および４４のそれぞれは、合波器２３と分波器２４とを含む。分波器２１は、光信号λａｄｄと監視信号λｓｖと合波を、光信号λａｄｄと監視信号λｓｖとに分岐し、その分岐した監視信号λｓｖを通す。合波器２２は、光信号λａｄｄを含まない主信号λｗｄｍと監視信号λｓｖ−ｗとの合波に、分波器２１が分岐した光信号λａｄｄを追加し、その追加された信号を通す。分波器２４は、光信号λｄｒｏｐを含む主信号λｗｄｍと監視信号λｓｖ−ｗとの合波を、光信号λｄｒｏｐを含まない主信号λｗｄｍと監視信号λｓｖ−ｗとの合波と、光信号λｄｒｏｐとに分岐し、その合波を通す。合波器２３は、分波器２４が分岐した光信号λｄｒｏｐに監視信号λｓｖを追加し、その追加した信号を通す。
【０１０９】
この場合、Ａ局１からＢ局２までの主信号λｗｄｍが伝送する伝送路の全ての場所において、主信号λｗｄｍと監視信号λｃ１およびλｃ２とが交わらないため、Ａ局１からＢ局２までの伝送路において、監視信号λｃ１およびλｃ２の波長と同じ波長を、伝送路の監視と異なる目的で使用することが可能である。
【０１１０】
また、本実施形態では、光合分波部４１および４３のそれぞれは、合波器２５と分波器２６とを含む。また、光合分波部４２および４４のそれぞれは、分波器２７と合波器２８とを含む。
【０１１１】
合波器２５は、光信号λａｄｄを含まない主信号λｗｄｍと監視信号λｓｖ−ｗとの合波に、光信号λａｄｄと監視信号λｓｖとの合波を追加する。分波器２６は、合波器２５が追加した信号から、光信号λａｄｄを含む主信号λｗｄｍと監視信号λｓｖ−ｗとの合波と、監視信号ｓｖとを分岐し、その分岐した合波および監視信号ｓｖのそれぞれを通す。合波器２８は、光信号λｄｒｏｐを含む主信号λｗｄｍと監視信号λｓｖ−ｗとの合波に、監視信号λｓｖを追加する。分波器２７は、合波器２８が追加した信号から、光信号λｄｒｏｐを含まない主信号λｗｄｍと監視信号λｓｖ−ｗとの合波と、光信号λｄｒｏｐと監視信号λｓｖとの合波とを分岐し、それらの分岐した信号のそれぞれを通す。
【０１１２】
この場合、光信号λｃａ、ａｃ、ｃｂおよびｂｃが伝送する伝送路の全てを監視することが可能である。
【０１１３】
また、本実施形態では、Ｃ１局３ａは、光ファイバ１３ａ１および１３ｂ２を監視するための監視信号λｃ１を送信し、Ｃ２局３ｂは、光ファイバ１３ｂ１および１３ａ２を監視するための監視信号λｃ２を送信する。
【０１１４】
この場合、レベル低下量と距離の関係をより詳細に測定することが可能になる。
【０１１５】
次に第二の実施形態について説明する。
【０１１６】
図６は、本実施形態の海底ケーブルシステムを示したブロック図である。アド／ドロップ局であるＣ局３の数は、図１では、一つだけであったが、図６では、複数ある。
【０１１７】
各Ｃ局３が送信する監視信号λｃ１およびλｃ２が伝送する伝送路は、他のＣ局３が送信する監視信号を伝送路と交わらないので、各Ｃ局３が送信する監視信号λｃ１およびλｃ２の波長は互いに同じにすることができる。
【０１１８】
したがって、Ｃ局３の数が増えても、監視信号として用いる波長の数を増やすことなく伝送路の監視が可能になる。
【０１１９】
次に第三の実施形態について説明する。
【０１２０】
図７は、本実施形態の海底ケーブルシステムを示したブロック図である。図１では、Ｃ１局３ａおよびＣ２局３ｂは、Ｃ局３に内蔵されていたが、図７では、互いに別体となっている。この場合でも、図１で示した海底ケーブルシステムと同様に伝送路の監視が可能になる。
【０１２１】
次に第四の実施形態について説明する。
【０１２２】
図８は、本実施形態の海底ケーブルシステムを示したブロック図である。図８では、図７と同様に、Ｃ１局３ａおよびＣ２局３ｂは、互いに別体となっている。さらに、図８では、図１や図７で示した光分岐装置４が光分岐装置４ａおよび４ｂの二つに分けられている。
【０１２３】
光分岐装置４ａは、光合分波部４１および４２を含み、光分岐装置４ｂは、光合分波部４３および４４を含む。また、光合分波部４１および４４を互いに接続する光ファイバ４５および４６と、光合分波部４２および４３を互いに接続する光ファイバ４７および４８とは海底ケーブル内に設けられる
本実施形態では、主信号λｗｄｍ１および２を伝送するための光ファイバ４５および４７からなるファイバペアと、監視信号λｃ１およびλｃ２を伝送するための光ファイバ４６および４８からなるファイバペアとのそれぞれの間に中継器、監視信号をその監視信号の送信元にループバックするための光ループバック回路が挿入されてもよい。
【０１２４】
次に第五の実施形態について説明する。
【０１２５】
図９は、本実施形態の海底ケーブルシステムの構成を示したブロック図である。
【０１２６】
図９では、図７と同様に、Ｃ１局３ａおよびＣ２局３ｂは、互いに別体となっている。また、図１で示した海底ケーブルシステムにおける光合分波部４１ないし４４の代わりに、双方向のアド／ドロップを行う光合分波部Ｅ１およびＥ２を含む。また、以下では、光信号λｃａを光信号λｃａ１と称し、光信号λａｃを光信号ａｃ１と称する。さらに、光信号λｃｂを光信号λｃｂ２と称し、光信号λｂｃを光信号λｂｃ２と称する。
【０１２７】
Ｃ１局３ａは、光信号λｃｂ１を光ファイバ１３ａ１にさらに送信し、光信号λｂｃ１をさらに受信する。また、Ｃ２局は、光信号λｃａ２をさらに送信し、光信号λａｃ２をさらに受信する。
【０１２８】
光合分波部Ｅ１は、光合分波部４１および４２の機能を有し、さらに、光ファイバ１１ａ内を伝送する主信号λｗｄｍ１に、光ファイバ１３ａ１内を伝送する光信号λｃｂ１を追加する機能と、光ファイバ１２ａ内を伝送する主信号λｗｄｍ２から、光信号λｂｃ１を光ファイバ１３ａ２にドロップする機能とを有する。
【０１２９】
また、光合分波部Ｅ２は、光合分波部４３および４４の機能を有し、さらに、光ファイバ１２ａ内を伝送する主信号λｗｄｍ２に、光ファイバ１３ｂ１内を伝送する光信号λｃｂ２を追加する機能と、光ファイバ１１ａ内を伝送する主信号λｗｄｍ１から、光信号λａｃ２を光ファイバ１３ｂ２にドロップする機能とを有する。
【０１３０】
アド／ドロップ方向が双方向である場合においても、光合分波部Ｅ１およびＥ２が監視信号λｃ１およびｃ２が、図１の光合分波部４１、４２、４３および４４と同様にスルーするので、監視信号の波長を増やすことなく、伝送路の監視を行うことが可能になる。
【０１３１】
以上説明した各実施形態において、図示した構成は単なる一例であって、本発明はその構成に限定されるものではない。
【図面の簡単な説明】
【０１３２】
【図１】第一の実施形態の海底ケーブルシステムを示したブロック図である。
【図２】光合分波部の構成例を示したブロック図である。
【図３】光合分波部の他の構成例を示したブロック図である。
【図４】光合分波部の他の構成例を示したブロック図である。
【図５】光合分波部の他の構成例を示したブロック図である。
【図６】第二の実施形態の海底ケーブルシステムを示したブロック図である。
【図７】第三の実施形態の海底ケーブルシステムを示したブロック図である。
【図８】第四の実施形態の海底ケーブルシステムを示したブロック図である。
【図９】第五の実施形態の海底ケーブルシステムを示したブロック図である。
【図１０】関連技術の海底ケーブルシステムを示したブロック図である。
【符号の説明】
【０１３３】
１        Ａ局
２        Ｂ局
３        Ｃ局
３ａ      Ｃ１局
３ｂ      Ｃ２局
４        光分岐装置
５        光ループバック回路
１１〜１３、４５〜４８      光ファイバ
２１、２２、２４、２６    分波器
２２、２３、２５、２７    合波器
４１〜４５    光合分波部
【図１】
2010011021.tif 000004
【図２】
2010011021.tif 000005
【図３】
2010011021.tif 000006
【図４】
2010011021.tif 000007
【図５】
2010011021.tif 000008
【図６】
2010011021.tif 000009
【図７】
2010011021.tif 000010
【図８】
2010011021.tif 000011
【図９】
2010011021.tif 000012
【図１０】
2010011021.tif 000013